(57)【要約】【課題】必要に応じて任意の発信元端末を選択して通信することのできる端末発信制御装置を提供する。【解決手段】発信先端末と通信可能な複数台の発信元端末と送受信を行う送受信部と、発信先端末と通信する１台の発信元端末を選択する発信元端末選択部とを備え、選択した発信元端末を制御して発信先端末に発信する端末発信制御装置において、各発信元端末に対応する発信先端末のアドレス帳を記憶するアドレス帳記憶部と、発信先端末を直接設定し、または、アドレス帳から発信先端末を設定する発信先端末設定部とを備え、発信元端末選択部は、発信先端末設定部により発信先端末を直接設定したときには、任意の発信元端末を選択可能とし、発信先端末設定部によりアドレス帳から発信先端末を設定したときには、アドレス帳に対応する発信元端末を選択する。【選択図】図２
2012074786.tif 000002
【特許請求の範囲】
【請求項１】
発信先端末と通信可能な複数台の発信元端末と送受信を行う送受信部と、前記発信先端末と通信する１台の前記発信元端末を選択する発信元端末選択部とを備え、選択した前記発信元端末を制御して前記発信先端末に発信する端末発信制御装置において、
前記各発信元端末に対応する前記発信先端末のアドレス帳を記憶するアドレス帳記憶部と、
前記発信先端末を直接設定し、または、前記アドレス帳から前記発信先端末を設定する発信先端末設定部と、
を備え、前記発信元端末選択部は、前記発信先端末設定部により前記発信先端末を直接設定したときには、任意の前記発信元端末を選択可能とし、前記発信先端末設定部により前記アドレス帳から前記発信先端末を設定したときには、前記アドレス帳に対応する前記発信元端末を選択することを特徴とする端末発信制御装置。
【請求項２】
請求項１記載の端末発信制御装置において、
前記発信元端末選択部は、前記発信先端末設定部により前記発信先端末を直接設定したときには、選択可能な複数台の前記発信元端末のうち、いずれの前記発信元端末を選択するのかを問い合わせることを特徴とする端末発信制御装置。
【発明の詳細な説明】
【技術分野】
【０００１】
本発明は、端末発信制御装置に関し、特に、接続された複数台の端末から1台の端末を選択して発信を行う端末発信制御装置に関する。
【背景技術】
【０００２】
近年、携帯電話機の著しい普及乃至高機能化に伴い、歩行中に携帯電話機を使用するだけでなく、車両による移動中やパソコンでの作業中に携帯電話機を使用する状況が増加している。しかしながら、特に車両による移動中にドライバが携帯電話機を使用することは、安全面において非常に問題となり、法令により禁止事項とされている。
【０００３】
このような状況に対応するため、ハンズフリーの状態で通話を行うことのできるハンズフリー通話装置が開発されている。例えば、下記特許文献１（特開２００３−１０２０５８号公報）には、車両に搭載可能な携帯端末管理システムが開示されている。この携帯端末管理システムでは、車両に搭載された携帯端末管理システムと携帯電話機とを無線接続し、携帯端末管理システムのマイク、スピーカを用いて、ハンズフリーの状態で外部と通話を行うことができる。
【０００４】
ところで、上記のハンズフリー通話装置を利用して、例えば、会社から支給される携帯電話機及び個人所有の携帯電話機の複数の携帯電話機を所持するユーザが、使用目的に応じてこれらの携帯電話機を使い分けたい場合がある。また、車両に複数の乗員が乗車しているときのように、ユーザ毎に携帯電話機を選択して通話を行いたい場合もある。
【０００５】
このような要望に対応すべく、複数台の携帯電話機を登録しておき、使用目的や発信先に応じて携帯電話機を切り替え可能としたハンズフリー通話装置がある。例えば、下記特許文献２（特開２００７−２６６７５５号公報）に開示されたハンズフリー通話装置では、発信先電話番号と、この発信先電話番号を使用する携帯電話機との対応関係を携帯電話機毎に設定した電話帳データを記憶しており、ユーザが発信先電話番号を入力すると、対応する携帯電話機を電話帳データから選択し自動的に切り替えて通話を行うことができる。
【先行技術文献】
【特許文献】
【０００６】
【特許文献１】特開２００３−１０２０５８号公報（段落［０００７］〜［００１０］）
【特許文献２】特開２００７−２６６７５５号公報（請求項１）
【発明の概要】
【発明が解決しようとする課題】
【０００７】
しかしながら、上記特許文献２に開示されたハンズフリー通話装置では、携帯電話機の個別の電話帳データによって発信先電話番号と使用する携帯電話機との対応関係が予め決められているため、ハンズフリー通話装置に接続されている複数の携帯電話機から任意の携帯電話機を選択して使用することはできない。
【０００８】
例えば、携帯電話機では、発信元の携帯電話機が加入している電話通信事業者（発信元通信キャリア）と、発信先の携帯電話機が加入している携帯電話サービスを提供する携帯電話通信事業者（発信先通信キャリア）とが同じ場合、利用する時間帯や家族割引等により利用料金を安くするサービスを提供しているものがある。そのため、ユーザとしては、これらのサービスを享受できることが望ましい。しかしながら、発信元の携帯電話機と発信先の携帯電話機との関係が固定されていると、上記のサービスを享受することはできない場合がある。
【０００９】
本発明は、上記の問題点を解消することを課題とするものであり、必要に応じて任意の発信元端末を選択して通信することのできる端末発信制御装置を提供することを目的とするものである。
【課題を解決するための手段】
【００１０】
前記課題を解決するために、本願の請求項１にかかる発明は、
発信先端末と通信可能な複数台の発信元端末と送受信を行う送受信部と、前記発信先端末と通信する１台の前記発信元端末を選択する発信元端末選択部とを備え、選択した前記発信元端末を制御して前記発信先端末に発信する端末発信制御装置において、
前記各発信元端末に対応する前記発信先端末のアドレス帳を記憶するアドレス帳記憶部と、
前記発信先端末を直接設定し、または、前記アドレス帳から前記発信先端末を設定する発信先端末設定部と、
を備え、前記発信元端末選択部は、前記発信先端末設定部により前記発信先端末を直接設定したときには、任意の前記発信元端末を選択可能とし、前記発信先端末設定部により前記アドレス帳から前記発信先端末を設定したときには、前記アドレス帳に対応する前記発信元端末を選択することを特徴とする。
【００１１】
本願の請求項２にかかる発明は、請求項１記載の端末発信制御装置において、前記発信元端末選択部は、前記発信先端末設定部により前記発信先端末を直接設定したときには、選択可能な複数台の前記発信元端末のうち、いずれの前記発信元端末を選択するのかを問い合わせることを特徴とする。
【発明の効果】
【００１２】
請求項１にかかる発明においては、発信先端末と通信可能な複数台の発信元端末と送受信を行う送受信部と、前記発信先端末と通信する１台の前記発信元端末を選択する発信元端末選択部とを備え、選択した前記発信元端末を制御して前記発信先端末に発信する端末発信制御装置において、前記各発信元端末に対応する前記発信先端末のアドレス帳を記憶するアドレス帳記憶部と、前記発信先端末を直接設定し、または、前記アドレス帳から前記発信先端末を設定する発信先端末設定部と、を備え、前記発信元端末選択部は、前記発信先端末設定部により前記発信先端末を直接設定したときには、任意の前記発信元端末を選択可能とし、前記発信先端末設定部により前記アドレス帳から前記発信先端末を設定したときには、前記アドレス帳に対応する前記発信元端末を選択する。
【００１３】
かかる構成によれば、ユーザが発信先端末設定部を用いて発信先端末を直接設定したときには、複数の発信元端末から任意の発信元端末を選択し、発信先端末と通信を行うことができる。一方、ユーザが発信先端末設定部を用いて発信先端末をアドレス帳から設定したときには、アドレス帳で予め決められている発信元端末を選択し、発信先端末と通信を行うことができるようになる。
【００１４】
請求項２にかかる発明においては、請求項１にかかる発明において、前記発信元端末選択部は、前記発信先端末設定部により前記発信先端末を直接設定したときには、選択可能な複数台の前記発信元端末のうち、いずれの前記発信元端末を選択するのかを問い合わせる。かかる構成によれば、ユーザは、問い合わせに応じて所望の発信元端末を選択することができるようになる。
【図面の簡単な説明】
【００１５】
【図１】本発明の実施例にかかる端末発信制御装置を用いたハンズフリー通話システムの概略説明図である。
【図２】本発明の実施例にかかる端末発信制御装置の構成ブロック図である。
【図３】本発明の実施例にかかる端末発信制御装置に接続される携帯電話機の構成ブロック図である。
【図４】本発明の実施例にかかる端末発信制御装置に登録される携帯電話機のアドレス帳の説明図である。
【図５】本発明の実施例にかかる端末発信制御装置に登録される携帯電話機の登録情報の説明図である。
【図６】本発明の実施例にかかる端末発信制御装置におけるハンズフリー通話のフローチャートである。
【図７】本発明の実施例にかかる端末発信制御装置におけるメニュー画面の説明図である。
【図８】本発明の実施例にかかる端末発信制御装置に登録されている携帯電話機の登録画面の説明図である。
【図９】本発明の実施例にかかる端末発信制御装置における端末選択画面の説明図である。
【発明を実施するための形態】
【００１６】
以下、本発明の具体例を実施例及び図面を用いて詳細に説明する。但し、以下に示す実施形態は、本発明の技術的思想を具体化するための端末発信制御装置を例示するものであって、本発明をこの端末発信制御装置に特定することを意図するものではなく、特許請求の範囲に含まれるその他の実施形態の端末発信制御装置にも等しく適応し得るものである。
【実施例】
【００１７】
図１は、本発明の実施例にかかる端末発信制御装置を用いたハンズフリー通話システムの概略説明図である。ハンズフリー通話システムは、車両１０に搭載されるナビゲーション装置１２（端末発信制御装置）と、ナビゲーション装置１２を介して、外部の携帯電話機１４（発信先端末）と通信可能な複数台の携帯電話機１６ａ、１６ｂ(発信元端末)とから構成される。なお、携帯電話機１６ａ、１６ｂは、車両１０内の端末である。
【００１８】
図２は、ナビゲーション装置１２の構成ブロック図であり、図３は、ナビゲーション装置１２に接続可能な携帯電話機１６ａ、１６ｂの構成ブロック図である。
【００１９】
ナビゲーション装置１２は、車両１０の現在位置を検出して地図画像とともに表示部に表示し、ユーザが目的地まで移動するための支援を行う機能を備えるとともに、車両１０内の携帯電話機１６ａ、１６ｂを選択して、ハンズフリーによる通話制御を行う端末発信制御装置である。
【００２０】
ナビゲーション装置１２は、制御部１８、現在位置検出部２０、経路探索部２２、地図情報記憶部２４、アドレス帳記憶部２６、携帯電話機登録情報記憶部２８、携帯電話機選択部３０（発信元端末選択部）、近距離無線通信部３４（送受信部）、操作部３６（発信先端末設定部）、表示部３８、マイク４０及びスピーカ４２を備えて構成される。
【００２１】
制御部１８は、ＣＰＵ４４、ＲＯＭ４６、ＲＡＭ４８を備えて構成され、ＲＯＭ４６及び／又はＲＡＭ４８に記憶された制御プログラムをＣＰＵ４４が実行することにより、ナビゲーション装置１２の各部の動作を制御・統括する。
【００２２】
現在位置検出部２０は、地球上空を周回している複数のＧＰＳ衛星からの信号を所定の時間間隔で受信し、この信号に含まれている時刻情報及び衛星位置情報に基づいて車両１０の現在位置を算出する。
【００２３】
経路探索部２２は、ユーザが入力した経路探索条件に従い、地図情報記憶部２４に記憶されている地図情報を参照して最適な経路（案内経路）を探索するものである。経路探索部２２は、出発地又は現在位置に対応する道路のノードから目的地に対応するノードに至るまでのリンクをダイクストラ法等の手法によって探索し、リンク長（リンクコスト）や所要時間を累積し、総リンク長（走行距離）又は総所要時間が最短となる経路を案内経路として探索する。なお、経路探索部２２は、外部の情報提供サーバから通信手段を介して地図情報を取得し、経路探索を行うものであってもよい。また、地図情報とともに経路探索部を外部の情報提供サーバに設置し、ナビゲーション装置１２が外部から案内経路を取得するように構成することもできる。
【００２４】
地図情報記憶部２４は、道路データ、建物データ、背景データ及びテキストデータから構成される地図情報を保持する。道路データは、道路をその屈曲点、分岐点等の結節点をノードとするノードデータと、それぞれのノード間を結ぶ経路をリンクとしたリンクデータとから構成される。ノードデータは、ノード番号、ノードの位置座標、交差点情報や交差点名称を示す情報等のノード属性、接続リンク本数、接続リンク番号のデータを含んで構成される。リンクデータは、リンクの始点及び終点となるノード番号、高速道路や一般道や街路等を区別するための道路種別、それぞれの道路の本線や連結路、分岐路を区別するための道路種別、距離及び／又は所要時間、国道○号線のような道路名称、進行方向のデータを含んで構成される。
【００２５】
リンクデータには、上記に加えて、リンク属性として、橋、トンネル、踏切、料金所等のデータが付与される。建物データは、建物の位置座標、駅、ビル、民家等の建物の種別、表示色のデータを含んで構成される。背景データは、海岸線、湖沼、河川形状、山林等の背景画像データとなる位置座標、表示色のデータを含んで構成される。テキストデータは、それぞれの地名や河川名等の文字（名称）、及びその座標のデータを含んで構成される。
【００２６】
アドレス帳記憶部２６は、ナビゲーション装置１２に接続可能な複数台の携帯電話機が持つそれぞれのアドレス帳（電話帳とも称される）の情報を記憶する。図４は、１台の携帯電話機にかかるアドレス帳の一例を示す。電話帳は通話先の電話番号等を記録したものであり、発信の際に電話帳から所望の通話先を選択するために用いられる。従って、アドレス帳記憶部２６には、発信先端末である携帯電話機の所有者の名前、電話番号、所有者を分類するグループ、発信先端末の通信キャリアが記憶される。発信先端末の通信キャリア（以下単にキャリアと称する）は、例えば、発信先端末の携帯電話機が契約している携帯電話会社である。なお、発信先端末の携帯電話会社は、当該携帯電話機のメールアドレスから識別することができるため、アドレス帳には、通信キャリアとして発信先端末のメールアドレスを設定してもよい。
【００２７】
携帯電話機登録情報記憶部２８は、ナビゲーション装置１２に接続可能な複数台の携帯電話機にかかる登録情報を記憶する。図５は、ナビゲーション装置１２に登録されている４台の携帯電話機にかかる登録情報を示す。携帯電話機登録情報記憶部２８には、発信元端末である登録携帯電話機、電話番号、登録携帯電話機がナビゲーション装置１２に接続されているか否かを示す接続有無、登録携帯電話機のキャリア、登録携帯電話機に対して割引対象に設定されている発信先端末の携帯電話機の電話番号が記憶される。登録携帯電話機のキャリアとは、例えば、登録携帯電話機が契約している携帯電話会社である。なお、発信元端末の携帯電話会社は、当該携帯電話機のメールアドレスから識別することができるため、キャリアとして発信元端末のメールアドレスを設定してもよい。
【００２８】
携帯電話機選択部３０は、ナビゲーション装置１２に接続されている携帯電話機１６ａ、１６ｂから、所定の条件に従い、外部の携帯電話機１４との間で通信する携帯電話機１６ａ、１６ｂの１つを選択するものである。
【００２９】
近距離無線通信部３４は、車両１０に持ち込まれた携帯電話機１６ａ、１６ｂとの間で無線通信を行い、携帯電話機１６ａ、１６ｂからアドレス帳の情報や、各携帯電話機１６ａ、１６ｂの電池残量情報を取得するとともに、携帯電話機１６ａ、１６ｂを介して、外部の携帯電話機１４と通話のための音声情報の送受信を行うものである。近距離無線通信部３４には、例えば、ブルートゥース技術を利用することができる。
【００３０】
操作部３６は、ナビゲーション装置１２の各種操作、例えば、経路探索のための出発地、目的地、経由地等の経路探索条件を入力する手段、携帯電話機１６ａ、１６ｂから必要な情報を取得するための指示を行う手段、携帯電話機１６ａ、１６ｂの登録情報を設定する手段、使用する携帯電話機１６ａ、１６ｂを選択する手段等として機能するものであり、例えば、キーやタッチパネルから構成される。
【００３１】
表示部３８は、車両１０の現在位置、地図画像、案内経路等を表示する手段、操作部３６を用いた作業に必要な操作画像を表示する手段等として機能するものであり、例えば、液晶表示パネルから構成される。
【００３２】
マイク４０は、ナビゲーション装置１２に対して音声による指示を行い、また、携帯電話機１６ａ、１６ｂを介して発信先とハンズフリー通話を行う手段である。また、スピーカ４２は、経路案内情報にかかる音声情報を出力するとともに、携帯電話機１６ａ、１６ｂを介して発信先からの音声を出力する手段である。
【００３３】
図３において、ナビゲーション装置１２に接続される携帯電話機１６ａ、１６ｂは、制御部５０、電池残量検出部５２、アドレス帳記憶部５４、通話送受信部５６、近距離無線通信部５８、操作部６０、表示部６２、マイク６４及びスピーカ６６を備えて構成される。
【００３４】
制御部５０は、ＣＰＵ６８、ＲＯＭ７０、ＲＡＭ７２を備えて構成され、ＲＯＭ７０及び／又はＲＡＭ７２に記憶された制御プログラムをＣＰＵ６８が実行することにより、携帯電話機１６ａ、１６ｂの各部の動作を制御・統括する。
【００３５】
電池残量検出部５２は、携帯電話機１６ａ、１６ｂの電池の残量を検出するものである。
【００３６】
アドレス帳記憶部５４は、各携帯電話機１６ａ、１６ｂに登録されているアドレス帳、例えば、図４に示すアドレス帳の情報を記憶する。通話送受信部５６は、発信元端末である携帯電話機１６ａ、１６ｂと、外部の発信先端末である携帯電話機１４との間で通話のための通信を行うものである。
【００３７】
近距離無線通信部５８は、ナビゲーション装置１２との間で無線通信を行い、携帯電話機１６ａ、１６ｂのアドレス帳の情報をナビゲーション装置１２に送信し、また、電池残量検出部５２により検出された携帯電話機１６ａ、１６ｂの電池残量情報をナビゲーション装置１２に送信するものである。また、近距離無線通信部５８は、ナビゲーション装置１２との間で通話のための音声情報の送受信を行うものである。近距離無線通信部５８には、例えば、ブルートゥース技術を利用することができる。
【００３８】
操作部６０は、携帯電話機１６ａ、１６ｂの各種操作、例えば、発信先である携帯電話機１４の電話番号を入力する手段、ナビゲーション装置１２に対してアドレス帳の情報の送信を指示する手段等として機能するものであり、例えば、キーやタッチパネルから構成される。表示部６２は、通話中の所定の画像を表示する手段、操作部６０を用いた作業に必要な操作画像を表示する手段等として機能するものであり、例えば、液晶表示パネルから構成される。マイク６４は、発信先と通話を行う手段であり、スピーカ６６は、発信先からの音声を出力する手段である。
【００３９】
次に、以上のように構成されるハンズフリー通話システムの動作について説明する。
【００４０】
先ず、ナビゲーション装置１２による経路探索の動作について、簡単に説明する。ユーザが、操作部３６を用いて出発地、経由地及び目的地を入力すると、経路探索部２２は、地図情報記憶部２４に記憶されている地図情報に基づき、出発地から経由地を経由して目的地までの最適な案内経路を探索し、その案内経路を地図画像とともに表示部３８に表示する。また、表示部３８には、現在位置検出部２０により検出された車両１０の現在位置が案内経路とともに表示される。ユーザは、表示されたこれらの情報に従い、目的地まで容易に移動することが可能となる。
【００４１】
次に、ナビゲーション装置１２を用いて、ハンズフリー通話を行う場合の動作を、図６に示すフローチャートに従って説明する。
【００４２】
先ず、ハンズフリー通話を行うための準備作業として、操作部３６を用いて、ナビゲーション装置１２に複数台の携帯電話機の情報を登録する。この場合、表示部３８に表示された図７に示すメニュー画面から「設定」のボタンを選択すると、図８に示す携帯電話登録一覧の画面が表示される。ユーザは、この画面から「詳細」のボタンを選択して必要な情報を登録する。携帯電話機の情報としては、例えば、図５に示すように、発信元端末である登録携帯電話機、電話番号、登録携帯電話機がナビゲーション装置１２に接続されているか否かを示す接続有無、登録携帯電話機のキャリア、登録携帯電話機に対して割引対象に設定されている発信先端末の携帯電話機の電話番号を設定する。設定されたこれらの情報は、携帯電話機登録情報記憶部２８に記憶される。
【００４３】
次に、登録した各携帯電話機のアドレス帳記憶部５４に記憶されているアドレス帳をナビゲーション装置１２に登録する。この場合、ナビゲーション装置１２の近距離無線通信部３４と、携帯電話機１６ａ、１６ｂの近距離無線通信部５８とを用いて携帯電話機１６ａ、１６ｂからナビゲーション装置１２にアドレス帳を転送することができる。アドレス帳の情報としては、例えば、図４に示すように、発信先端末である携帯電話機の所有者の名前、電話番号、所有者を分類するグループ、発信先端末のキャリアの各情報が転送される。転送されたこれらのアドレス帳の情報は、アドレス帳記憶部２６に記憶される。
【００４４】
以上の準備作業が終了した後、ハンズフリー通話を開始する。
【００４５】
ハンズフリー通話を行う場合、ナビゲーション装置１２の表示部３８には、図７に示すハンズフリーメニュー画面が表示される。この画面を用いて、発信先端末である携帯電話機１４をナビゲーション装置１２に設定する（ステップＳ１０１）。この場合、ユーザは、ハンズフリーメニュー画面から「ダイヤル」のボタンを選択した後、発信先端末である携帯電話機１４の電話番号を直接入力する。また、ハンズフリーメニュー画面から「アドレス帳」のボタンを選択した後、アドレス帳記憶部２６からアドレス帳を読み出して表示部３８に表示させ（図４参照）、発信先端末である携帯電話機１４の電話番号を選択することもできる。
【００４６】
ナビゲーション装置１２に複数の携帯電話機１６ａ、１６ｂが接続されている場合（ステップＳ１０２、ＹＥＳ）（図８では、「Ｔ００３」及び「Ｐ９０５ｉ」の２台の携帯電話機１６ａ、１６ｂが接続されている。）、携帯電話機選択部３０は、ステップＳ１０１での発信先端末である携帯電話機１４の設定方法が、電話番号を直接入力する方法によるのか、アドレス帳から選択する方法によるのかを判定する（ステップＳ１０３）。
【００４７】
電話番号を直接入力して発信先端末である携帯電話機１４を設定した場合（ステップＳ１０３、ＹＥＳ）、制御部１８は、ナビゲーション装置１２に接続されている２台の携帯電話機１６ａ、１６ｂから１台を選択する端末選択画面を表示部３８に表示させる（図９参照）。ユーザは、表示された携帯電話機１６ａ、１６ｂの１台を選択し（ステップＳ１０４）、その携帯電話機１６ａまたは１６ｂと携帯電話機１４とを接続して通話を行う。
【００４８】
この場合、ユーザは、ナビゲーション装置１２に接続されている任意の携帯電話機１６ａ、１６ｂを選択することができる。例えば、キャリアが発信先端末である携帯電話機１４と同じである携帯電話機１６ａ、１６ｂを選択すれば、安価な料金で通話を行うことができる。また、近距離無線通信部３４を介して、ナビゲーション装置１２に接続されている各携帯電話機１６ａ、１６ｂから電池残量情報を取得し、この情報を図９に示す端末選択画面に併せて表示させることにより、電池残量の最も多い携帯電話機１６ａ、１６ｂを選択して通話を行うことができる。
【００４９】
ナビゲーション装置１２のマイク４０に入力されたユーザの音声は、近距離無線通信部３４から携帯電話機１６ａまたは１６ｂの近距離無線通信部５８に音声信号とし送信された後、通話送受信部５６から外部の携帯電話機１４に送信される。一方、携帯電話機１４からの音声信号は、携帯電話機１６ａまたは１６ｂの通話送受信部５６により受信された後、近距離無線通信部５８からナビゲーション装置１２の近距離無線通信部３４に送信され、次いで、ナビゲーション装置１２のスピーカ４２から出力される。
【００５０】
一方、アドレス帳から発信先端末である携帯電話機１４の電話番号を選択して設定した場合（ステップＳ１０３、ＮＯ）、携帯電話機選択部３０は、選択した電話番号に対応するアドレス帳を持つ携帯電話機１６ａまたは１６ｂを発信元端末として選択し（ステップＳ１０５）、その携帯電話機１６ａまたは１６ｂと携帯電話機１４とを接続する。この場合、対応関係が予め設定されている携帯電話機１６ａまたは１６ｂを用いて、発信先端末である携帯電話機１４と通話することができる。
【００５１】
なお、本発明は、上述した実施例に限定されるものではなく、本発明の要旨を逸脱しない範囲で変更することが可能である。
【００５２】
例えば、端末発信制御装置としては、車両１０に搭載されるナビゲーション装置１２に限られるものではなく、端末と通信可能なものであれば、パソコンを含む種々の装置を適用することができる。また、端末発信制御装置に接続される端末としては、外部の端末と通信を行うものであれば、携帯電話機１６ａ、１６ｂ以外の通信機器でもよく、また、その台数は、複数台であれば、2台に限られるものではない。
【符号の説明】
【００５３】
１０・・・車両
１２・・・ナビゲーション装置
１４、１６ａ、１６ｂ・・・携帯電話機
１８、５０・・・制御部
２０・・・現在位置検出部
２２・・・経路探索部
２４・・・地図情報記憶部
２６、５４・・・アドレス帳記憶部
２８・・・携帯電話機登録情報記憶部
３０・・・携帯電話機選択部
３４、５８・・・近距離無線通信部
３６、６０・・・操作部
３８、６２・・・表示部
４０、６４・・・マイク
４２、６６・・・スピーカ
５２・・・電池残量検出部
５６・・・通話送受信部
【図１】
2012074786.tif 000003
【図２】
2012074786.tif 000004
【図３】
2012074786.tif 000005
【図４】
2012074786.tif 000006
【図５】
2012074786.tif 000007
【図６】
2012074786.tif 000008
【図７】
2012074786.tif 000009
【図８】
2012074786.tif 000010
【図９】
2012074786.tif 000011